(57)【特許請求の範囲】
【請求項１】
待機状態における消費電力を低減する省エネルギー機能付きファクシミリ装置であって、通常状態では装置内のユニットを制御するとともに、省エネ制御手段に対する制御指示信号を送出する主制御手段と、待機状態では、前記主制御手段その他の手段の主電源を遮断して省エネルギー状態に移行させ、かつ該省エネルギー状態においてはユーザによる省エネキーの押下、原稿のセット、受信時のリンギング信号、または送信時のオフフック信号等のトリガ信号によって前記省エネルギー状態を解除し、前記主制御手段に対して解除した要因を示す省エネ解除要因信号を送出する省エネ制御手段と、装置のアラーム表示を行うアラーム表示手段とを具備した省エネルギー機能付きファクシミリ装置において、
前記主制御手段は、前記通常状態においてアラームの原因となる事象の発生状態を検出して、前記省エネ制御手段に伝え、
前記省エネ制御手段は、前記通常状態から移行した前記省エネルギー状態において、前記主制御手段から伝えられた前記アラームの原因となる事象の発生状態に従って、前記アラーム表示手段によりアラーム表示を行わせ、前記省エネルギー状態で前記アラームの原因となる事象の発生状態が解除あるいは変化しても、前記アラーム表示手段によるアラーム表示を継続することを特徴とする省エネルギー機能付きファクシミリ装置。
【請求項２】
前記主制御手段は、前記アラームの原因となる事象として、該ファクシミリ装置が受信不可状態であることを検出し、
前記アラーム表示手段は、前記省エネ制御手段の制御に従って、前記ファクシミリ装置が受信不可状態であることの表示を行うことを特徴とする請求項１に記載の省エネルギー機能付きファクシミリ装置。
【請求項３】
待機状態における消費電力を低減する省エネルギー機能付きファクシミリ装置であって、通常状態では装置内のユニットを制御するとともに、省エネ制御手段に対する制御指示信号を送出する主制御手段と、待機状態においては前記主制御手段その他の手段の主電源を遮断して省エネルギー状態に移行させ、かつ該省エネルギー状態においてはユーザによる省エネキーの押下、原稿のセット、受信時のリンギング信号、送信時のオフフック信号等のトリガ信号によって該省エネルギー状態から解除し、前記主制御手段に対して解除した要因を示す省エネ解除要因信号を送出する省エネ制御手段と、警報音を発する手段とを具備した省エネルギー機能付きファクシミリ装置において、
前記主制御手段は、前記通常状態において受信不可状態を検出して、前記省エネ制御手段に伝え、
前記省エネ制御部は、前記通常状態から移行した前記省エネルギー状態を解除して該通常状態に移行した際に、前記主制御手段から伝えられた前記受信不可状態に従って、前記警報音を発する手段により警報音を発生させることを特徴とする省エネルギー機能付きファクシミリ装置。
【発明の詳細な説明】
【０００１】
【発明の属する技術分野】
本発明は、省エネルギー機能付きファクシミリ装置に関し、省エネルギー機能付き事務機器、通信装置等に応用可能な技術に関する。
【０００２】
【従来の技術】
ファクシミリ装置の操作パネルには記録紙やトナー（普通紙ファクシミリの場合）が無くなったこと、紙づまり、装置カバーオープン等、装置の動作を継続するために支障となる状態を示すアラーム表示ＬＥＤがあり、これらの点灯制御およびＬＣＤ表示制御、キー走査制御やその他のＬＥＤ点灯制御は、通常操作パネル内に設置された操作パネル制御ＣＰＵが行っている。従来の省エネルギー機能付きファクシミリ装置においては待機状態において消費電力を低減するため、操作パネルの用の電源ラインを遮断する。
【０００３】
上記の電源ラインの遮断後に操作パネル上で唯一制御が続行されるのは省エネキー押下の監視と省エネモード中を示すＬＥＤ点灯制御のみであり、これらは省エネ制御ＣＰＵが実行する。従って省エネモードではアラーム表示がなされない。このことは省エネモード中には、動作続行に支障のある状態を解消するために操作者によってのみ行うことができる操作が期待できないことになり、不具合な状態が長期間続くおそれをもたらす。
【０００４】
装置の待機状態において制御対象が増えることは消費電力の増加を伴う。従って解決すべき問題点を絞って制御対象を減らし、消費電力の増加を抑える必要がある。新規の送信の場合は操作が必要なため操作者が不具合に気が付くであろうから、やはり問題は受信の場合である。最近のファクシミリ装置は送受信画像用メモリを有しており、たとえ記録紙切れ、トナー切れ、あるいはプロッタカバーオープン等、印字出力ができなくなってもしばらくは受信画像をメモリに蓄積することで受信を続けることができる。しかしその状態が長時間続き、画像メモリがいっぱいになればそれ以上の受信はできなくなる。
【０００５】
着信があれば省エネ制御ＣＰＵはリンギング信号を検出して遮断していた他ユニットへの電源ラインを回復し、主制御ＣＰＵを起こす。これにより装置は通常状態となり、各種アラーム表示も活性状態になる。不具合があれば操作者が気が付き得る状態になるが、タイマにより再び省エネ状態になるまでに操作者が気が付かないことが考えられる。
【０００６】
【発明が解決しようとする課題】
本発明は、上述のごとき実情に鑑みてなされたもので、請求項１の発明の目的は、省エネモードにおいてもアラーム表示を行うことにより、装置の不具合な状態を長く続かせることがないようにすることである。
請求項２の発明の目的は、省エネモードにおいて受信不可状態であることをアラーム表示することにより、消費電力の増加を抑えることである。
請求項３の発明の目的は、受信不可状態であることを警報により知らせることにより、待機状態における消費電力を増加させることなく受信不可状態の早期解消を可能にすることである
【０００７】
【課題を解決するための手段】
請求項１の発明は、待機状態における消費電力を低減する省エネルギー機能付きファクシミリ装置であって、通常状態では装置内のユニットを制御するとともに、省エネ制御手段に対する制御指示信号を送出する主制御手段と、待機状態では、前記主制御手段その他の手段の主電源を遮断して省エネルギー状態に移行させ、かつ該省エネルギー状態においてはユーザによる省エネキーの押下、原稿のセット、受信時のリンギング信号、または送信時のオフフック信号等のトリガ信号によって前記省エネルギー状態を解除し、前記主制御手段に対して解除した要因を示す省エネ解除要因信号を送出する省エネ制御手段と、装置のアラーム表示を行うアラーム表示手段とを具備した省エネルギー機能付きファクシミリ装置において、前記主制御手段は、前記通常状態においてアラームの原因となる事象の発生状態を検出して、前記省エネ制御手段に伝え、前記省エネ制御手段は、前記通常状態から移行した前記省エネルギー状態において、前記主制御手段から伝えられた前記アラームの原因となる事象の発生状態に従って、前記アラーム表示手段によりアラーム表示を行わせ、前記省エネルギー状態で前記アラームの原因となる事象の発生状態が解除あるいは変化しても、前記アラーム表示手段によるアラーム表示を継続することを特徴としたものである。
【０００８】
請求項２の発明は、請求項１の発明において、前記主制御手段は、前記アラームの原因となる事象として、該ファクシミリ装置が受信不可状態であることを検出し、前記アラーム表示手段は、前記省エネ制御手段の制御に従って、前記ファクシミリ装置が受信不可状態であることの表示を行うことを特徴としたものである。
【０００９】
請求項３の発明は、待機状態における消費電力を低減する省エネルギー機能付きファクシミリ装置であって、通常状態では装置内のユニットを制御するとともに、省エネ制御手段に対する制御指示信号を送出する主制御手段と、待機状態においては前記主制御手段その他の手段の主電源を遮断して省エネルギー状態に移行させ、かつ該省エネルギー状態においてはユーザによる省エネキーの押下、原稿のセット、受信時のリンギング信号、送信時のオフフック信号等のトリガ信号によって該省エネルギー状態から解除し、前記主制御手段に対して解除した要因を示す省エネ解除要因信号を送出する省エネ制御手段と、警報音を発する手段とを具備した省エネルギー機能付きファクシミリ装置において、前記主制御手段は、前記通常状態において受信不可状態を検出して、前記省エネ制御手段に伝え、前記省エネ制御部は、前記通常状態から移行した前記省エネルギー状態を解除して該通常状態に移行した際に、前記主制御手段から伝えられた前記受信不可状態に従って、前記警報音を発する手段により警報音を発生させることを特徴としたものである。
【００１０】
【発明の実施の形態】
（実施例１）
図１は、本発明の第１の実施例に係るファクシミリ装置の構成を示すブロック図で、図中、１は電源、２は電源切替部、３は主制御部（主制御ＣＰＵ）、４は省エネ制御部（省エネ制御ＣＰＵ）、５はプロッタ、６はモデム、７はＲＯＭ、８はシステムメモリ、９はシリアルＩ／Ｏ、１０は回線インタフェース部、１１は操作パネル、１１ａは省エネモードＬＥＤ、１１ｂはアラームＬＥＤ、１１ｃは省エネキー、１２はスキャナ、１２ａは原稿センサ、１３はシステムバスである。
【００１１】
通常状態においては主制御部３が全ユニットの制御を行っている。操作パネル１１は、主制御部３によって制御されるシリアルＩ／Ｏ９を通じてシステムバス１３と接続されており、主制御部３との間でシリアルインタフェースを通してコマンド、レスポンスのやりとりを行う。省エネ制御部４は通常状態において主制御部３とのインタフェースを通じた主制御部３からの省エネモードへの移行指令を待つ。省エネ制御部４には、スキャナ１２の原稿センサ１２ａと、操作パネル１１の省エネキー１１ｃとが接続されており、また回線インタフェース部１０のリンギング検出信号（Ｆ網の呼び出し信号、オフフック信号を含む）が入力される。これらの状態の主制御部３への伝達は、主制御部３へ直接に、あるいは省エネ制御部４を通じて伝達する構成のいずれも取り得る。
【００１２】
通常状態においては電源切替部２の出力はオンである。省エネモードへの移行には２つのトリガがあり、一つは省エネキー押下による操作者からの直接的な省エネモードへの移行指令であり、他の一つは例えばファクシミリジョブの終了後一定時間経過後といったタイマ動作により行われるもので、いずれも主制御部３から省エネ制御部４への指令として与えられる。このとき主制御部３が検出している記録紙切れ、トナー切れ、紙詰まり、及び装置カバーオープンといったアラームの原因となる事象の発生状態も省エネ制御部４へ伝えられる。省エネモードは省エネ制御部４が指令を受けて電源切替部２を制御し、他のユニットへの電源供給を遮断することにより開始する。
【００１３】
省エネモードにおいて、省エネ制御部４は、省エネモードを表示する省エネＬＥＤを点灯し、かつ主制御部３から受け取ったアラーム状態に基づいてアラームＬＥＤ１１ｂを点灯する。アラーム状態の検出は主制御部３が行うので、省エネモードでアラーム状態が解除されるかあるいは変化しても、それはアラームＬＥＤ１１ｂに反映されず、次に省エネモードが解除されたときに反映される。
【００１４】
上記の各ＬＥＤは、省エネモードにおける消費電力を低減させるために必要十分な輝度が得られるデューティで駆動する。省エネモードの解除は操作者による省エネキーの押下、スキャナへの原稿のセット、着信によるリンギング信号、及びオフフック信号の検出により行う。省エネ制御部４は電源切替部２に対して出力オン指示を発して各部を活性化し、主制御部３に解除原因を知らせる。
【００１５】
主制御部３が立ち上がった時点で、主制御部３が検出した最新のアラーム状態が省エネ制御部４に伝えられ、ＬＥＤに反映される。以上のような動作により、通常状態におけるアラーム表示が省エネ状態への移行によりマスクされて操作者に長時間知らせることができなくなるような事態を避けることができる。
【００１６】
（実施例２）
図２は、本発明による第２の実施例に係るファクシミリ装置のブロック図で、図中、１１ｄは受信不可ＬＥＤで、その他図１と同様な機能を有する部分には図１と同じ符号が付してある。第１の実施例との違いは、省エネ制御部４により点灯されるアラームＬＥＤが受信不可ＬＥＤ（受信できない状態を表す）１１ｄの一つのみであることである。受信不可状態は、通常状態において、画像メモリの使用状況、紙及びトナー切れ状態から主制御部３が判定し、省エネモード移行時に省エネ制御部４に伝える。これにより、通常状態において検出した受信不可状態表示が省エネ状態への移行によりマスクされて操作者に長時間知らせることができなくなるような事態を避けることができる。
【００１７】
（実施例３）
図３は、本発明の第３の実施例に係るファクシミリ装置のブロック図で、図中、１４はスピーカまたはブザーで、その他図１及び図２と同様の機能を有する部分には、図１及び図２と同じ符号が付してある。装置の待機状態において、着信があれば省エネ制御ＣＰＵ４はリンギング信号を検出して遮断していた他ユニットへの電源ラインを回復し、主制御ＣＰＵ３を起こす。これにより装置は通常状態となり、各種アラーム表示も活性状態になる。不具合があれば操作者が気が付き得る状態になるが、タイマにより再び省エネ状態になるまでに操作者が気が付かないことが考えられる。
【００１８】
上記のような状態となることを防止するため、主制御ＣＰＵ３は受信不可状態にあることまたはそのおそれがあることを検出してスピーカまたはブザー１４により警報音を発して操作者に知らせる。着信がトリガとなって主制御ＣＰＵ３が起きてこの動作を行うため、その着信を受けるには間に合わないであろうが、操作者の操作により次回の受信は可能になる。音によるアラーム表示はＬＥＤやＬＣＤと比べて有効な場合が多い。
【００１９】
本実施例の構成は、従来の省エネモード付きファクシミリとほぼ同様であるが、通常状態において主制御部３がスピーカまたはブザー１４による音により受信不可状態を操作者に知らせる機構を有する点で異なる。警報音による通報によって、通常状態において検出した受信不可状態表示が省エネ状態への移行によりマスクされて操作者に長時間知らせることができなくなるような事態を避けることができる。なお、本実施例に限らず、他の実施例の構成においてもアラーム表示の１手段として音を使用できることはいうまでもない。
【００２０】
【発明の効果】
請求項１の省エネルギー機能付きファクシミリ装置においては、通常状態において検出したアラーム状態をその後の省エネ状態においても表示し続ける機構を有するので、アラーム状態が長時間操作者に知られない事態を防ぐことができる。
【００２１】
請求項２の省エネルギー機能付きファクシミリ装置においては、通常状態において検出した受信不可状態をその後の省エネ状態においても表示し続ける機構を有するので、受信不可状態が長時間操作者に知られない事態を防ぐことができる。
【００２２】
請求項３の省エネルギー機能付きファクシミリ装置においては、通常状態において検出した受信不可状態を警報音により知らせる機構を有するので、受信不可状態が長時間操作者に知られない事態を防ぐことができる。
【図面の簡単な説明】
【図１】  本発明の第１の実施例に係るファクシミリ装置のブロック図である。
【図２】  本発明の第２の実施例に係るファクシミリ装置のブロック図である。
【図３】  本発明の第３の実施例に係るファクシミリ装置のブロック図である。
【符号の説明】
１…電源、２…電源切替部、３…主制御部、４…省エネ制御部、５…プロッタ、６…モデム、７…ＲＯＭ、８…システムメモリ、９…シリアルＩ／Ｏ、１０…回線インタフェース部、１１…操作パネル、１１ａ…省エネモードＬＥＤ、１１ｂ…アラームＬＥＤ、１１ｃ…省エネキー、１１ｄ…受信不可ＬＥＤ、１２…スキャナ、１２ａ…原稿センサ、１３…システムバス、１４…スピーカまたはブザー。
【図１】
0003850174.tif 000002
【図２】
0003850174.tif 000003
【図３】
0003850174.tif 000004